(57)【要約】【課題】作業員が建設機械のアームの旋回範囲外から操作が出来る軽量鋼矢板押込治具を提供する。【解決手段】被冠する軽量鋼矢板の頭部の上縁の長さより短い長さのチャネル材の開口を下方に向けて側板１ｂ、１ａを垂下した治具本体１を設け、治具本体１の側板１ｂ、１ａに挟まれた天板の下面の中央部に丸棒１ｃを垂下させ、治具本体１の一側板１ａの外側に操作棒２を取り付け、アームを有する建設機械を使用した軽量鋼矢板Ｂ１の土中への押込作業において、建設機械のアームの旋回範囲外の位置から、作業員が操作棒２を持って治具本体１を、軽量鋼矢板Ｂ１の頭部上縁の略中央部の凹部１２に丸棒１ｃを差し入れて軽量鋼矢板Ｂ１の頭部に被せ、この状態で、建設機械の移動自在なアームに取付けたアタッチメントによって当該軽量鋼矢板Ｂ１を土中に押し込む。【選択図】図８
2015086610.tif 000002
【特許請求の範囲】
【請求項１】
被冠する軽量鋼矢板の頭部の上縁の長さより短い長さのチャネル材の開口を下方に向けて相対向する２つの側板を垂下した治具本体を設け、当該治具本体の２つの側板に挟まれた天板の下面の略中央部に棒状体を垂下させ、当該治具本体の一側板の外側に一定長の操作棒を取り付け、
旋回するアームを有する建設機械を使用した軽量鋼矢板の土中への押込作業において、当該建設機械のアームの旋回範囲外の位置から、作業員が上記操作棒を持って上記治具本体を、軽量鋼矢板の頭部上縁の略中央部の凹部に上記棒状体を差し入れて当該軽量鋼矢板の頭部に被せ、この状態で、上記建設機械の移動自在なアームに取付けたアタッチメントによって当該軽量鋼矢板を土中に押し込む構成としたことを特徴とする軽量鋼矢板押込治具。
【請求項２】
上記操作棒は上記治具本体の一側板に対して少なくとも上下方向に回動自在としたことを特徴とする、上記請求項１に記載の軽量鋼矢板押込治具。
【請求項３】
上記操作棒は上記治具本体に対して着脱自在としたことを特徴とする、上記請求項１又は２に記載の軽量鋼矢板押込治具。
【請求項４】
上記治具本体の相対向する側板は、操作棒を設けていない側板の下端縁を操作棒を設けている側板の下端縁より下方へ長く垂下させ、さらに上記棒状体の下端は、上記操作棒を設けていない側板の下端縁より下方に突出させたことを特徴とする、上記請求項１、２又は３の何れかに記載の軽量鋼矢板押込治具。
【請求項５】
一定長のチャネル材の開口を下方に向けて相対向する２つの側板を垂下して治具本体を設け、当該治具本体の２つの側板に挟まれた天板の下面の略中央部に一定長の棒状体を垂下させ、
当該治具本体の一側板の外側に一定長の操作棒を取り付けて軽量鋼矢板押込治具を形成し、
旋回するアームを有する建設機械を使用した軽量鋼矢板の土中への押込作業において、当該建設機械のアームの旋回範囲外の位置から、作業員が上記軽量鋼矢板押込治具の操作棒を持って上記治具本体を、押込む軽量鋼矢板の頭部上縁の略中央部の凹部に上記棒状体を差し入れて当該軽量鋼矢板の頭部に被せ、この状態で、上記建設機械の移動自在なアームに取り付けたアタッチメントによって上記治具本体の上から当該軽量鋼矢板を土中に押し込むことを特徴とする治具を使った軽量鋼矢板押込方法。
【発明の詳細な説明】
【技術分野】
【０００１】
この発明は、例えば、土止め先行工法のうち、小規模な溝掘削作業に採用されることが多い軽量鋼矢板工法などに用いられる軽量鋼矢板の押込治具及び当該治具を使った押込み工法に関するものである。
【背景技術】
【０００２】
従来、上水道、下水道、電気通信施設、ガス供給施設等の敷設のための小規模な溝掘削工事においては、掘削された溝の相対向する側面の溝崩壊を防ぐために、溝の周囲に、多数の軽量鋼矢板を上方から押込んで並設している。
【０００３】
この様な軽量鋼矢板を土中に打ち込むには、一例として、バックホウのバケットによる押込があるが、軽量鋼矢板の頭部を上記バケットで直接押込むと、当該軽量鋼矢板の頭部及び上縁が潰れて変形したりするので、当該軽量鋼矢板の頭部に押込治具を被せて、その上からバックホウのバケットで押し込んでいる。
【０００４】
この様な押込治具として、特許文献１の矢板押込補助具がある。この矢板押込補助具は、長方形状の基板の下面から長手方向に沿って３本の先細脚片を間をあけて垂下し、この基板の上面の両端縁及び中央に凸状の掛止部を３つ設け、上記両端の先細脚片を、押し込んだ矢板の凹凸した上縁の一側に挿入し、上記中央の先細脚片を他側に挿入して当該矢板の頭部に被せ、当該矢板押込補助具の上面の並設する掛止部の間にバックホウのバケットの爪部または底部を当てて押し込むと言うものである。
【０００５】
また、特許文献２の鋼矢板の簡易打込器がある。この簡易打込器は、作業員のハンマーによる打設によって矢板を押し込むものであるが、底面が開口した略直方体形状のカバー体を設け、このカバー体の一側面の左右に締緩自在な固定ねじを夫々設け、この簡易打込器のカバー体を開口部から矢板の頭部に被せ、上記二つの固定ねじでカバー体内の矢板を締め付けて当該矢板の頭部に固定し、当該簡易打込器の上面からハンマーで叩いて矢板を押し込むと言うものである。
【特許文献１】実用新案登録第３０５１３９２号公報
【特許文献２】実開昭６２−１５４０４０号公報
【発明の開示】
【発明が解決しようとする課題】
【０００６】
しかしながら、上記特許文献１の矢板押込補助具Ｅでは、図１１に示すように、作業員ＤがバックホウＣのアーム１１の旋回範囲内に入り、３本の先細脚片を矢板Ｆの頭部上縁の凹凸に互い違いに挿入するため、直接手で矢板Ｆの頭部に当該矢板押込補助具Ｅを被せる必要が有るため手間がかかり、また、何よりも危険である。さらに、この様に、矢板Ｆの頭部に矢板押込補助具Ｅを被せる時は、土留め工事の最中であり、矢板Ｆに近づくことは溝崩落の危険も有る。
【０００７】
また、この後、作業員Ｄが上記旋回範囲から出た後にバックホウＣのバケット１１ａの先端で矢板Ｆの頭部を押し込むものであるが、その都度、作業員Ｃの退避やバックホウＣの停止等の確認に時間がかかり、矢板Ｆの押込作業全体として多くの時間がかかっていた。また、この矢板Ｆには各種の規格があり、規格によってはこの矢板押込補助具Ｅが合わないことがあり、さらに、矢板Ｆの頭部が少しでも変形していると上記矢板押込補助具Ｅの３本の先細脚片が矢板Ｆの凹凸に上手く入らなかったりして使い勝手が悪かった。また、矢板押込補助具Ｅを上方から被せるものであるが、矢板Ｆの形状によっては、作業員Ｄが手を離すとずれ落ちることも有り、作業の遅延を招くことも有った。
【０００８】
また、上記特許文献２の簡易打込器では、この簡易打込器のカバー体の両側面が閉鎖されており、打設を続けていくと、既設の隣接する矢板の一端部に接触するため、最終的には、この簡易打込器を外して打設することになり、最良な打込器とは言い難いものであった。
【０００９】
この発明は、これらの点に鑑みて為されたもので、まず、作業員が建設機械のアームの旋回範囲外から操作が出来、また、軽量鋼矢板の頭部に簡単かつ確実に被せることが出来るので矢板押込作業を円滑かつ確実に行うことが出来、さらに、形状や大きさの異なる軽量鋼矢板に使用出来て汎用性を有する、軽量鋼矢板押込治具及び当該治具を使った押込工法を提供して上記課題を解決するものである。
【課題を解決するための手段】
【００１０】
請求項１の発明は、被冠する軽量鋼矢板の頭部の上縁の長さより短い長さのチャネル材の開口を下方に向けて相対向する２つの側板を垂下した治具本体を設け、当該治具本体の２つの側板に挟まれた天板の下面の略中央部に棒状体を垂下させ、当該治具本体の一側板の外側に一定長の操作棒を取り付け、旋回するアームを有する建設機械を使用した軽量鋼矢板の土中への押込作業において、当該建設機械のアームの旋回範囲外の位置から、作業員が上記操作棒を持って上記治具本体を、軽量鋼矢板の頭部上縁の略中央部の凹部に上記棒状体を差し入れて当該軽量鋼矢板の頭部に被せ、この状態で、上記建設機械の移動自在なアームに取付けたアタッチメントによって当該軽量鋼矢板を土中に押し込む構成とした軽量鋼矢板押込治具とした。
【００１１】
請求項２の発明は、上記操作棒は上記治具本体の一側板に対して少なくとも上下方向に回動自在とした上記請求項１に記載の軽量鋼矢板押込治具とした。
【００１２】
請求項３の発明、上記操作棒は上記治具本体に対して着脱自在とした上記請求項１又は２に記載の軽量鋼矢板押込治具とした。
【００１３】
請求項４の発明は、上記治具本体の相対向する側板は、操作棒を設けていない側板の下端縁を操作棒を設けている側板の下端縁より下方へ長く垂下させ、さらに上記棒状体の下端は、上記操作棒を設けていない側板の下端縁より下方に突出させた上記請求項１、２又は３の何れかに記載の軽量鋼矢板押込治具とした。
【００１４】
請求項５の発明は、一定長のチャネル材の開口を下方に向けて相対向する２つの側板を垂下して治具本体を設け、当該治具本体の２つの側板に挟まれた天板の下面の略中央部に一定長の棒状体を垂下させ、当該治具本体の一側板の外側に一定長の操作棒を取り付けて軽量鋼矢板押込治具を形成し、旋回するアームを有する建設機械を使用した軽量鋼矢板の土中への押込作業において、当該建設機械のアームの旋回範囲外の位置から、作業員が上記軽量鋼矢板押込治具の操作棒を持って上記治具本体を、押込む軽量鋼矢板の頭部上縁の略中央部の凹部に上記棒状体を差し入れて当該軽量鋼矢板の頭部に被せ、この状態で、上記建設機械の移動自在なアームに取り付けたアタッチメントによって上記治具本体の上から当該軽量鋼矢板を土中に押し込む軽量鋼矢板押込方法とした。
【発明の効果】
【００１５】
請求項１及び５の各発明によれば、建設機械のアームの旋回範囲外の場所から軽量鋼矢板押込治具を軽量鋼矢板の頭部に被せるので作業員が安全である。また、軽量鋼矢板押込治具の治具本体を操作棒によって軽量鋼矢板の頭部に被せるので簡単かつ確実に被せることが出来、矢板押込作業を円滑かつ確実に行うことが出来る。
【００１６】
さらに、この軽量鋼矢板押込治具は、チャネル材の開口を下方に向けて相対向する２つの側板を垂下し、これらの両側板に挟まれた天板の下面の略中央部から棒状体を垂下させて治具本体を形成しているので、従来の３つの棒状体を垂下させたものより、容易でありながら確実に、軽量鋼矢板の頭部に被せることが出来、使い勝手が良いものである。また、２枚の側板と１つの棒状体から治具本体はなるので、形状や大きさの異なる軽量鋼矢板に使用することが出来、汎用性が高いものである。
【００１７】
また、作業員が建設機械のアームの旋回範囲内に入ること無く作業が出来るので、従来の旋回範囲内に入って作業を行うものと比べ、作業員の退避やバックホウの停止等の確認作業が不要で、作業時間の短縮となる。
【００１８】
さらに、請求項１の発明によれば、被冠する軽量鋼矢板の頭部の上縁の長さより短い長さのチャネル材より治具本体を設けたので、軽量鋼矢板の頭部に軽量鋼矢板押込治具を被せて押込んだ際、隣接する軽量鋼矢板の端部の係止部に接触することが無く、当該軽量鋼矢板の押込みによる、隣接する軽量鋼矢板との共下がりを防ぐことが出来る。これにより、上記押込む軽量鋼矢板並びに隣接する軽量鋼矢板の姿勢を崩さず十分土中に押込むことが出来るので溝崩落を確実に防止出来るものである。
【００１９】
請求項２の発明によれば、操作棒は上記治具本体に対して少なくとも上下方向に回動自在としたので、この軽量鋼矢板押込治具を軽量鋼矢板の頭部に被せるのに、建設機械のアームの旋回範囲外の所望の位置から操作することが出来、極めて使い勝手が良く、また、軽量鋼矢板の頭部に被せた後も安定して確実に被せた状態を維持することが出来、軽量鋼矢板の押込みを円滑かつ確実に出来るものである。
【００２０】
請求項３の発明によれば、操作棒は上記治具本体に対して着脱自在としたので、軽量鋼矢板を建設機械で押込む際は、治具本体のみを矢板の頭部に被せ、作業員はより離れた位置に退避することもできる。また、移動の際など、この軽量鋼矢板押込治具を使用しない時には、操作棒を外しておけば邪魔にならず便利である。
【００２１】
請求項４の発明によれば、作業員が操作棒を持った際、治具本体の前方となる、上記操作棒を設けていない側板の下端縁を治具本体の後方となる、上記操作棒を設けている側板の下端縁より下方へ長く垂下させ、かつ棒状体を一番長く垂下させたので、まず、棒状体を矢板の凹部に嵌め、次に前方の側板、続いて後方の側板を軽量鋼矢板の前後に被せることを目視で確認出来、この軽量鋼矢板の押込治具を軽量鋼矢板の頭部に正確に被せ易く、極めて使い勝手が良い。
【図面の簡単な説明】
【００２２】
【図１】この発明の実施の形態例の軽量鋼矢板押込治具の一部斜視図である。
【図２】この発明の実施の形態例の軽量鋼矢板押込治具の一部断面図である。
【図３】この発明の実施の形態例の軽量鋼矢板押込治具を被せる軽量鋼矢板の頭部の平面図である。
【図４】この発明の実施の形態例の軽量鋼矢板押込治具を被せる他の軽量鋼矢板の頭部の平面図である。
【図５】この発明の実施の形態例の軽量鋼矢板押込治具を被せた軽量鋼矢板の頭部の平面図である。
【図６】この発明の実施の形態例の軽量鋼矢板押込治具を被せた他の軽量鋼矢板の頭部の平面図である。
【図７】この発明の実施の形態例の軽量鋼矢板押込治具を軽量鋼矢板の頭部に被せる様子を示す斜視図である。
【図８】この発明の実施の形態例の軽量鋼矢板押込治具を軽量鋼矢板の頭部に被せた様子を示す斜視図である。
【図９】この発明の実施の形態例の軽量鋼矢板押込治具を現場において、軽量鋼矢板の頭部に被せている状態の一部断面図である。
【図１０】この発明の実施の形態例の軽量鋼矢板押込治具を現場において、軽量鋼矢板の頭部に被せ、バックホウによって押込んでいる状態の一部断面図である。
【図１１】現場において、従来例の矢板押込補助具を軽量鋼矢板の頭部に被せ、バックホウによって押込んでいる状態の一部断面図である。
【発明を実施するための最良の形態】
【００２３】
（実施の形態例）
以下、この発明の実施の形態例の軽量鋼矢板押込治具を図に基づいて説明する。この軽量鋼矢板押込治具Ａは、概略、図１及び２に示す様に、チャネル材の開口を下方に向けて相対向する２つの側板を垂下して設けた治具本体１と、この治具本体の一側板１ａの外側の中央に一定長の操作棒２を取り付けて形成している。
【００２４】
上記治具本体１については、被冠する軽量鋼矢板の頭部の上縁の長さより短い長さのチャネル材から成り、２つの側板のうち、治具本体１の前方となる、後述する操作棒を設けていない他側板１ｂの下端縁を、治具本体１の後方となる、同操作棒を設けている一側板１ａの下端縁より下方へ長く垂下させている。また、上記一側板１ａと他側板１ｂに挟まれた天板の下面の中央部に、一定長の丸棒１ｃを垂下させている。この丸棒１ｃの下端は、治具本体１の上記他側板１ｂより下方へ突出している。
【００２５】
上記操作棒２の取付けかたについて述べる。この治具本体１の一側板１ａの外側の中央に２枚の舌片１ｄ、１ｄを相対向して水平方向に突設させ、これらの舌片１ｄ、１ｄには夫々通孔１ｅを設けている。
【００２６】
別途、扁平な直方体形状を立設して第１基部３を設け、この第１基部３の背面の中央に舌片３ａを水平方向に突設させ、この舌片３ａには通孔を設け、この第１基部３の正面に直方体形状の凹部を設け、この凹部に、この直方体形状の凹部より一回り小さい直方体形状のＮ極の磁石３ｂを嵌め入れる。この磁石３ｂの正面の中央に半球状の窪みを設け、この窪みに球状の金属球３ｃを取り付けている。
【００２７】
そして、上記第１基部３の背面の舌片３ａの先端を上記治具本体１の２枚の舌片１ｄの間に入れて、夫々の通孔１ｅの位置を合わせて、当該通孔１ｅ内に長片５を通してヒンジ部を形成する。
【００２８】
また、別途、扁平な直方体形状を立設して第２基部４を設け、この第２基部４の背面の中央に一定長の棒状体２ａを取り付けて操作棒２を形成している。さらに、上記第１基部３と同様に、この第２基部４の正面に直方体形状の凹部を設け、この凹部に直方体形状のＳ極の磁石４ａを嵌め入れる。この磁石４ａの正面の中央に半球状の窪みを設け、この窪みに、上記金属球３ｃが嵌合自在となっている。
【００２９】
その後、上記第１基部３の突出した金属球３ｃの半球部分に上記第２基部４の凹部を被せて、磁力にて上記第１基部３と第２基部４を一体に設ける。これにより、治具本体１に対して、第１基部３、第２基部４及び棒状体２ａ（操作棒２）を上下方向に回動自在に設けている。しかし、回動自在であるが、ヒンジ部は作業員が手でやや強く押さないと動かないものである。
【００３０】
また、上記ヒンジ部に代えて、一般に使用されているユニバーサルジョイント部を使用すれば、上記治具本体１は上記操作棒２に対して上下左右方向等、３６０度自在に回動させることが出来る。この場合もユニバーサルジョイント部は作業員が手でやや強く動かさなければ回動しないものとする。
【００３１】
また、第２基部４は、第１基部３に対して磁力によって取り付けられているので、第１基部３に対して、第２基部４と一体に設けられている操作棒２を右水平方向あるいは左水平方向に回転させることにより、第１基部３と第２基部４の一側が離れて、第１基部３から当該第２基部４を取り外すことが出来る。この様にして操作棒２は第１基部３に対して着脱自在となっている。
【００３２】
次に、この軽量鋼矢板押込治具Ａを用いて軽量鋼矢板Ｂを土中に押込む作業を説明する。ここでは、まず、建設機械により一定の深さまで溝掘削を行い、図９に示すように、複数の軽量鋼矢板Ｂをある程度まで押込んで並設している状態とする。ここで使用する旋回するアーム１１を有する建設機械としてはバックホウＣを使用する。
【００３３】
また、ここで使用する軽量鋼矢板Ｂ１としては、図３に示す様に、頭部の平面視の形状が、略中央を下方に凹ませて凹部１２を形成し、左端縁が下方に小さく折り曲げられて左端係止部１３を形成し、右端部は下方に大きく折り曲げられた後、斜め上方に折り曲げられて右端係止部１４を形成したものである。
【００３４】
また、もう一つの軽量鋼矢板Ｂ２としては、図４に示す様に、軽量鋼矢板頭部の平面視の形状は、中央を下方に凹ませて凹部１５を形成し、全体として左右対称であり、両端縁は下方に小さく折り曲げられ、その後、横向きＵ字型に折り曲げられて左端係止１６、右端係止部１６を形成したものである。
【００３５】
この軽量鋼矢板Ｂを土中に並設して押込む場合は、図５に示す様に、既設の軽量鋼矢板Ｂ１の左端係止部１３に新しい軽量鋼矢板Ｂ１の右端係止部１４を係止する位置で行う。また、この軽量鋼矢板Ｂ２を土中に並設して押込む場合は、図６に示す様に、既設で１８０度回転させて押込まれている軽量鋼矢板Ｂ２の左端係止部１６に対して、新しい軽量鋼矢板Ｂ２の右端係止部１６を係止する位置で行う。
【００３６】
この状態で、軽量鋼矢板Ｂを押込むこととする。この軽量鋼矢板Ｂを土中に一定長まで押込む。この後、図８に示す様に、この軽量鋼矢板押込治具Ａの治具本体１を軽量鋼矢板Ｂの頭部に被せる。
【００３７】
軽量鋼矢板押込治具Ａの治具本体１を被せる様子を図７及び図８に基づいて詳細に説明すると、上記バックホウＣのアーム１１の旋回範囲外の場所において、作業員Ｄは、軽量鋼矢板押込治具Ａの操作棒２を持って上下方向に動かして、まず、最初に、最も長く伸ばされている丸棒１ｃの下端を軽量鋼矢板Ｂ１の凹部１２に差し入れ、その次に、操作棒２を設けていない前方の他側板１ｂを軽量鋼矢板Ｂ１の前面に、その後に、操作棒２を設けている後方の一側板１ａを軽量鋼矢板ｂ１の背面に位置させてこの軽量鋼矢板Ｂ１に治具本体１を被せる。この様にすることで、治具本体１の各側板１ｂ、１ａを正確に、軽量鋼矢板Ｂ１、Ｂ２の頭部に安定してよりしっかりと被せることが出来る。
【００３８】
また、ユニバーサルジョイント部を採用した軽量鋼矢板押込治具の場合、上下方向に加えて左右方向、さらに、斜め方向の好きな場所に当該軽量鋼矢板押込治具の治具本体を持って行くことが出来、極めて使い勝手が良い。
【００３９】
その後、軽量鋼矢板押込治具Ａの操作棒２を回して、上記治具本体１及び第１基部３から取り外す。この状態で、図１０に示す様に、バックホウＣのバケット１１ａの先端で、上方から軽量鋼矢板押込治具Ａを押して、軽量鋼矢板Ｂを土中に押込む。以上の様にして、軽量鋼矢板押込治具Ａを用いて軽量鋼矢板Ｂを土中に押込む。
【００４０】
この時、図５、図６及び図８に示す様に、軽量鋼矢板Ｂの平面視両端部の各係止部は、軽量鋼矢板押込治具Ａから突出しているので、押込み前の隣接する軽量鋼矢板Ｂとの係止部があっても押込みの邪魔とはならず、所望の位置まで当該軽量鋼矢板Ｂのみを押込むことが出来き、共下がり防止による土止め配列の維持にも貢献する。
【００４１】
さらに、軽量鋼矢板Ｂの頭部に被せた軽量鋼矢板押込治具Ａの被冠が安定しない時、又は操作棒２を放さない方が良い時などは、押込み作業中、作業員Ｄがアーム１１の旋回範囲外の位置から治具本体１を取付けた操作棒２を持っていても良い。
【００４２】
また、この軽量鋼矢板押込治具Ａの操作棒２を伸縮自在とすることも出来、この場合、操作棒２の長さを調整することが出来、便利である。さらに、作業員Ｄが操作棒２を手で持たなくても良い場合、地面付近の適当な個所に固定しても良い。また、この軽量鋼矢板押込治具Ａの操作性を良くするために治具本体１を軽量化することが良く、軽い材質のもので形成すると良い。
【００４３】
上記実施の形態例１では、操作棒２を治具本体１の一側板１ａに対して上下方向又は３６０度回動自在としているが必ずしもこの様にする必要は無く、上下方向に回動自在とする構成も記載したものに限るものでは無い。また、この操作棒２を治具本体１に対して着脱自在に設けるのに、この操作棒２を治具本体１と一体に設けた第１基部３に対して着脱自在としているがこの構成に限るものでは無く、また、必ずしも操作棒２を治具本体１と一体に設けた第１基部３に対して着脱自在とする必要も無い。さらに、上記治具本体１の他側板１ｂの端縁は上記一側板１ａの端縁より下方へ長く垂下させているが必ずしもこの様にする必要は無い。
【００４４】
また、この軽量鋼矢板押込治具Ａを使用する軽量鋼矢板Ｂ１、Ｂ２を２つ具体的に記載しているが、この軽量鋼矢板押込治具Ａを使用する軽量鋼矢板Ｂはこれらのものに限るものでは無く、この軽量鋼矢板押込治具Ａを使用出来る軽量鋼矢板Ｂであるならば他の形状及び大きさのものでも良い。また、上記実施の形態例では、溝掘削作業において、この軽量鋼矢板押込治具Ａを使用し、説明しているが、この軽量鋼矢板押込治具Ａを使用出来るのは溝掘削作業に限るものでは無く、この軽量鋼矢板押込治具Ａを使用して効果を奏することが出来るならば、立坑等の掘削時などの掘削開口面の地山崩壊防止など、何れの作業においても使用出来るものである。
【００４５】
さらに、建設機械として、バックホウＣを使用しているが、建設機械はバックホウＣに限るものでは無く、軽量鋼矢板Ｂを押込むことが出来る機能を持ったものであるならば他の建設機械でも良い。また、建設機械のアタッチメントとして、バケット１１ａを使用しているが、アタッチメントとしてはこれに限らず、軽量鋼矢板Ｂを押し込めるものなら良い。また、棒状体として丸棒１ｃを使用しているが棒状体としては丸棒１ｃに限るものでは無く、軽量鋼矢板Ｂの凹部に問題無く差し入れられて安定して係止出来るものなら他の形状でも良い。
【符号の説明】
【００４６】
Ａ    軽量鋼矢板押込治具            Ｂ    軽量鋼矢板
Ｂ１  軽量鋼矢板                    Ｂ２  軽量鋼矢板
Ｃ    バックホウ                    Ｄ    作業員
Ｅ    矢板押込補助具                Ｆ    矢板
１    治具本体        １ａ  一側板          １ｂ    他側板
１ｃ  丸棒            １ｄ  舌片            １ｅ    通孔
２    操作棒          ２ａ  棒状体          ３      第１基部
３ａ  舌片            ３ｂ  磁石            ３ｃ    金属球
４    第２基部        ４ａ  磁石            ５      長片
１１    アーム        １１ａ  バケット      １２      凹部
１３    左端係止部    １４    右端係止部    １５      凹部
１６    左端係止部    １６    右端係止部
【図１】
2015086610.tif 000003
【図２】
2015086610.tif 000004
【図３】
2015086610.tif 000005
【図４】
2015086610.tif 000006
【図５】
2015086610.tif 000007
【図６】
2015086610.tif 000008
【図７】
2015086610.tif 000009
【図８】
2015086610.tif 000010
【図９】
2015086610.tif 000011
【図１０】
2015086610.tif 000012
【図１１】
2015086610.tif 000013